【事件の表示】
　上記当事者間の登録第２７０３０１９号商標の登録取消審判事件について、次のとおり審決する。
【結　論】
　本件審判の請求は、成り立たない。
　審判費用は、請求人の負担とする。
【理　由】
第１　本件商標
　本件登録第２７０３０１９号商標（以下「本件商標」という。）は、「ＢＡＭＢＯＯ」の欧文字を横書きしてなり、昭和６２年１２月１１日に登録出願、第２４類に属する商標登録原簿に記載の商品を指定商品として、平成７年１月３１日に設定登録され、その後、平成１８年３月１日に、指定商品を第９類「レコード」とする指定商品の書換登録され、現に有効に存続しているものである。
　そして、本件審判の請求の登録（予告登録）は、平成２８年１月２１日である。
第２　請求人の主張
　請求人は、商標法第５０条第１項により、本件商標の登録を取り消す、審判費用は被請求人の負担とするとの審決を求め、その理由を以下のように述べ、証拠方法として甲第１号証及び甲第２号証を提出した。
１　請求の理由
　本件商標は、その登録に係る指定商品について、継続して３年以上日本国内において、商標権者、専用使用権者又は通常使用権者のいずれも使用した事実が存しないから、商標法第５０条第１項の規定により、取り消されるべきものである。
２　弁駁
　請求人は、被請求人の答弁に対して、何ら弁駁していない。
第３　被請求人の答弁
　被請求人は、結論同旨の審決を求めると答弁し、その理由を要旨以下のように述べ、証拠方法として乙第１号証ないし乙第８号証を提出した。
１　本件商標の使用について
　本件商標の商標権者は、平成２４年（２０１２年）３月２１日に発売したジャズの音楽ＣＤ（アーティスト名「カサンドラ・ウィルソン」アルバム名「ブルー・スカイ」、以下「本件商品」という。）のレコードレーベルとして本件商標「ＢＡＭＢＯＯ」を使用している。
　レコードレーベルは、レコード会社にとって、アーティストのジャンルや音楽性の違いによってグループ分けされた部門（ブランド）を表すものであり、自他商品を識別するための重要な役割を果たす商標である。
　そして、本件商品は、本件商標に係る指定商品「レコード」に含まれるものであり、商標権者は、本件商品に発売から現在に至るまで継続して、本件商品パッケージの背ラベルに、本件商標と社会通念上同一と認められる商標「Ｂａｍｂｏｏ」を付して販売している。これは、商標法第２条第３項第１号の商標の使用に該当する。
　また、本件商品１点が、本件審判請求の登録日前３年以内（以下「要証期間」という。）の平成２７年（２０１５年）５月７日に、埼玉県にある「ＬＨＥ　ＨＭＶインターネットフルフィルメントセンター」に出荷され、受領された事実がある。本件商品の品番は「ＵＣＣＵ−６２０４」であり、これが売上票に記載されたものと一致することから、要証期間内に、日本国内において、本件商標を付した本件商品が出荷されたことが確認できる。これは、商標法第２条第３項第２号の使用に該当する。
　さらに、音楽コンテンツデータを提供している「ＣＤＪｏｕｒｎａｌ」のウェブサイトにおいて、本件商品について「本作は日本制作レーベルＢａｍｂｏｏの記念すべき第１弾録音作品」と紹介されている。そして、上記ウェブサイトから取り扱い店にリンクが貼られており、タワーレコードや山野楽器のサイトより本件商品を購入する手続きへ進むことができる。よって、本件商品は、本件商品が発売された平成２４年（２０１２年）３月２１日以降、インターネットを介して商品を購入できる状態であったことは明白である。これは、商標法第２条第３項第８号に該当にするものである。
２　むすび
　以上のとおり、本件商標は、本件審判請求の登録前３年以内に日本国内において商標権者により指定商品「レコード」について、商標法第２第３項第１号、同項第２号及び同項第８号に該当する使用がなされていることが明らかである。
第４　当審の判断
１　認定事実
　証拠及び被請求人の主張によれば、以下の事実が認められる。
（１）乙第１号証から乙第３号証は、本件商品のジャケット正面、背ラベル、裏面の写真であり、それらに写された本件商品の背ラベルに「Ｂａｍｂｏｏ」、「ＣＡＳＳＡＮＤＲＡ　ＷＩＬＳＯＮ」、「ＢＬＵＥ　ＳＫＩＥＳ」及び「ＵＣＣＵ−６２０４」の記載が、裏面に「ＵＣＣＵ−６２０４」、「１２・３・２１」の記載とともに、本件商品が商標権者により販売される旨を表示する「Ｍａｒｋｅｔｅｄ　＆　Ｄｉｓｔｒｉｂｕｔｅｄ　ｂｙ　ＵＮＩＶＥＲＳＡＬ　ＭＵＳＩＣ　ＬＬＣ」の記載がある。
（２）乙第４号証は、売上票の写しであるが、当該売上票に、受注日として「１５／０５／０６」発行日として「１５／０５／０７」の記載が、商品等の記載欄の２３行目には商品番号の項目に「ＵＣＣＵ　６２０４」の記載が、出荷数の項目に「１」の記載が、お得意先名の欄に「ＨＭＶインターネット・フルフ」の記載が、「単価は構成単位で表示しています。」と記載された欄には「７０７８００９０」の記載がある。また、売上票の右下の欄には「ユニバーサル　Ｍ」の記載があり、当該記載は商標権者の名称を省略して記載したものと推認できる。
（３）乙第５号証は、配達受領書の写しであるが、上段の配達受領書には、受領書上段中央に「１５年０５月０７日」の記載が、お届け先欄には「ＨＭＶ　インターネッ／トフルフィルメントセンター」の記載が、記事欄（伝票Ｎｏ．）の７行目中央に「０７０７８００９０（０３）」の記載があり、当該数字の「７０７８００９０」部分は、乙第４号証の「単価は構成単位で表示しています。」と記載された欄の数字と一致する。また、当該配達受領書の受領印の欄に「ＨＭＶ　ＰＤＣ」という受領印が捺印されている。
（４）乙第７号証は、２０１６年２月５日にプリントアウトした「ＴＯＷＥＲ　ＲＥＣＯＲＤＳ　ＯＮＬＩＮＥ」のウェブページの写しであるが、該ウェブページには、乙第１号証の写真と同一と認められるＣＤの写真と、その右側に「ブルー・スカイ」、「Ｃａｓｓａｎｄｒａ　Ｗｉｌｓｏｎ」、「国内」、「ＳＨＭ―ＣＤ」、「販売中　お取り寄せ」、「発売日　２０１２年０３月２１日」、「規格品番　ＵＣＣＵ−６２０４」、「レーベル　Ｂａｍｂｏｏ」、「価格　￥１，８５１」の記載がある。
２　判断
　上記１によれば、商標権者は、タイトル「ＢＬＵＥ　ＳＫＩＥＳ」及び品番「ＵＣＣＵ−６２０４」で特定される本件商品に、本件商標と社会通念上同一と認められる「Ｂａｍｂｏｏ」の文字を表示し、平成２４年（２０１２年）３月２１日に発売した。
　商標権者は、顧客の「ＬＨＥ　ＨＭＶインターネットフルフィルメントセンター」より、平成２７年（２０１５年）５月６日に品番「ＵＣＣＵ−６２０４」で特定される本件商品を受注し、同年５月７日に本件商品を配達、顧客が受領したことがうかがえる。
　また、本件商品は、平成２８年（２０１６年）２月５日においても「ＴＯＷＥＲ　ＲＥＣＯＲＤＳ　ＯＮＬＩＮＥ」のウェブページ等において販売されていることからすれば、本件商品は、要証期間前の平成２４年（２０１２年）３月２１日の発売から、要証期間内の同２７年（２０１５年）５月ごろを含め、要証期間経過後の同２８年（２０１６年）２月５日に至るまでの期間、継続して販売されていたものと認めて差し支えない。
　そして、本件商品は「録音済みのコンパクトディスク」と認められ、当該商品は、本件審判請求に係る指定商品「レコード」の範囲に属する商品であるから、これに本件商標と社会通念上同一の標章と認められる「Ｂａｍｂｏｏ」の文字を付することは、商標法第２条第３項第１号に定める標章の「使用」に該当する。
３　まとめ
　以上のとおり、商標権者は、本件審判の請求の登録前３年以内である平成２７年５月ころ、日本国内において、本件審判の請求に係る指定商品に含まれる商品「録音済みのコンパクトディスク」について、本件商標と社会通念上同一と認められる標章の使用を証明したということができる。
　したがって、本件商標の登録は、本件審判の請求に係る指定商品について、商標法第５０条により、取り消すことはできない。
　よって、結論のとおり審決する。